(57)【要約】【課題】パフォーマンスの低下を抑え、機密情報の漏洩があった場合に漏洩元を容易に追跡・特定可能とする。【解決手段】ジョブログ生成・蓄積部２５０は、ジョブを受け付けると、ジョブログ（開始）を生成して、ジョブログ管理サーバ４に送信する。ログイメージ作成部２５１は、ジョブを出力するまでの実時間内、または予測時間内で、ジョブで扱われる画像から一部のログイメージを生成し、ジョブログ管理サーバ４に送信する。そして、ジョブの出力が完了すると、ジョブログ生成・蓄積部２５０は、ジョブログ（完了）を生成してジョブログ管理サーバ４に送信し、ログイメージ作成部２５１は、ジョブで扱われる画像から残りのログイメージを生成し、ジョブログ管理サーバ４に送信する。【選択図】図１
2008118418.tif 000002
【特許請求の範囲】
【請求項１】
ジョブを実行する実行手段と、
前記ジョブのジョブログを生成するジョブログ生成手段と、
前記ジョブで扱われた画像からログイメージを生成するログイメージ生成手段と、
前記実行手段によるジョブの実行開始までに、前記ジョブログ生成手段により生成されたジョブログの一部と、前記ログイメージ生成手段により生成されたログイメージの一部とを、ネットワークを介して外部のサーバに転送する転送手段と
を具備することを特徴とする画像処理装置。
【請求項２】
前記ログイメージ生成手段は、前記実行手段によるジョブの実行開始までに、ジョブで扱われた画像から一部のログイメージを生成するとともに、前記実行手段によるジョブの実行完了後、ジョブで扱われた画像から残りのログイメージを生成し、
前記転送手段は、前記実行手段によるジョブの実行開始までに、前記ログイメージ生成手段により生成された一部のログイメージを前記外部のサーバに転送し、前記実行手段によるジョブの実行完了後、前記ログイメージ生成手段により生成された残りのログイメージを、前記ネットワークを介して外部のサーバに転送することを特徴とする請求項１記載の画像処理装置。
【請求項３】
前記ログイメージ生成手段は、前記ジョブが印刷である場合、最初の印刷開始までに、ジョブで扱われた画像から一部のログイメージを生成することを特徴とする請求項２記載の画像処理装置。
【請求項４】
前記ログイメージ生成手段は、前記ジョブがスキャンである場合、スキャンの完了までに、ジョブで扱われた画像から一部のログイメージを生成することを特徴とする請求項２記載の画像処理装置。
【請求項５】
前記ログイメージ生成手段は、前記ジョブがファックス送信である場合、ファックス通信の開始までに、ジョブで扱われた画像から一部のログイメージを生成することを特徴とする請求項２記載の画像処理装置。
【請求項６】
前記実行手段によるジョブの実行開始までの時間を予測する予測手段を具備し、
前記ログイメージ生成手段は、前記予測手段によって予測された時間に基づいて、前記ジョブで扱われた画像から一部のログイメージを生成することを特徴とする請求項２ないし５のいずれかに記載の画像処理装置。
【請求項７】
前記ネットワークの転送能力を測定する転送能力計測手段を具備し、
前記ログイメージ生成手段は、前記実行手段によるジョブの実行開始までの時間に加えて、前記転送能力計測手段によって計測された前記ネットワークの転送能力に基づいて、前記ジョブで扱われた画像から一部のログイメージを生成することを特徴とする請求項６記載の画像処理装置。
【発明の詳細な説明】
【技術分野】
【０００１】
本発明は、コピー、プリント、スキャン、ファックス等のジョブで扱った画像からログイメージを作成して外部装置に転送する画像処理装置に関する。
【背景技術】
【０００２】
従来、ＬＡＮ（ローカルエリアネットワーク）に複数のクライアントとプリンタが接続され、複数のユーザがプリンタを共有可能な印刷システムが一般に知られている（例えば、特許文献１参照）。
【０００３】
この印刷システムでは、クライアントで印刷すべき文書の印刷データを生成し、これをネットワーク上で共有されるプリンタに送信して印刷することができる。プリンタで印刷が実行されると、その印刷ジョブのジョブログがプリンタに蓄積される。ジョブログは、例えば、ジョブＩＤ、ジョブの種類、ジョブ受付時刻、ジョブ終了時刻、ジョブステータス（ジョブの状態）等からなる。
【特許文献１】特開２００４−１９２２７３号公報
【発明の開示】
【発明が解決しようとする課題】
【０００４】
本発明は、パフォーマンスの低下を抑えることができ、機密情報の漏洩があった場合に漏洩元を容易に追跡・特定することができる画像処理装置を提供することを目的とする。
【課題を解決するための手段】
【０００５】
上記目的達成のため、請求項１記載の発明による画像処理装置は、ジョブを実行する実行手段と、前記ジョブのジョブログを生成するジョブログ生成手段と、前記ジョブで扱われた画像からログイメージを生成するログイメージ生成手段と、前記実行手段によるジョブの実行開始までに、前記ジョブログ生成手段により生成されたジョブログの一部と、前記ログイメージ生成手段により生成されたログイメージの一部とを、ネットワークを介して外部のサーバに転送する転送手段とを具備することを特徴とする。
【０００６】
本発明の請求項２は、請求項１記載の画像処理装置において、前記ログイメージ生成手段は、前記実行手段によるジョブの実行開始までに、ジョブで扱われた画像から一部のログイメージを生成するとともに、前記実行手段によるジョブの実行完了後、ジョブで扱われた画像から残りのログイメージを生成し、前記転送手段は、前記実行手段によるジョブの実行開始までに、前記ログイメージ生成手段により生成された一部のログイメージを前記外部のサーバに転送し、前記実行手段によるジョブの実行完了後、前記ログイメージ生成手段により生成された残りのログイメージを、前記ネットワークを介して外部のサーバに転送することを特徴とする。
【０００７】
本発明の請求項３は、請求項２記載の画像処理装置において、前記ログイメージ生成手段は、前記ジョブが印刷である場合、最初の印刷開始までに、ジョブで扱われた画像から一部のログイメージを生成することを特徴とする。
【０００８】
本発明の請求項４は、請求項２記載の画像処理装置において、前記ログイメージ生成手段は、前記ジョブがスキャンである場合、スキャンの完了までに、ジョブで扱われた画像から一部のログイメージを生成することを特徴とする。
【０００９】
本発明の請求項５は、請求項２記載の画像処理装置において、前記ログイメージ生成手段は、前記ジョブがファックス送信である場合、ファックス通信の開始までに、ジョブで扱われた画像から一部のログイメージを生成することを特徴とする。
【００１０】
本発明の請求項６は、請求項２ないし５のいずれかに記載の画像処理装置において、前記実行手段によるジョブの実行開始までの時間を予測する予測手段を具備し、前記ログイメージ生成手段は、前記予測手段によって予測された時間に基づいて、前記ジョブで扱われた画像から一部のログイメージを生成することを特徴とする。
【００１１】
本発明の請求項７は、請求項６記載の画像処理装置において、前記ネットワークの転送能力を測定する転送能力計測手段を具備し、前記ログイメージ生成手段は、前記実行手段によるジョブの実行開始までの時間に加えて、前記転送能力計測手段によって計測された前記ネットワークの転送能力に基づいて、前記ジョブで扱われた画像から一部のログイメージを生成することを特徴とする。
【発明の効果】
【００１２】
この発明によれば、実行手段によるジョブの実行開始までに、転送手段により、ジョブログ生成手段により生成されたジョブログの一部と、ログイメージ生成手段により生成されたログイメージの一部とを、ネットワークを介して外部のサーバに転送するようにしたので、パフォーマンスの低下を抑えることができ、機密情報の漏洩があった場合に漏洩元を容易に追跡・特定することができるという利点が得られる。
【発明を実施するための最良の形態】
【００１３】
以下、本発明の実施の形態を、図面を参照して説明する。
Ａ．第１実施形態
Ａ−１．第１実施形態の構成
図１は、本発明の第１実施形態に係る画像処理システムの構成を示すブロック図である。画像処理システム１は、ジョブを実行してジョブログを生成するとともに、ジョブで扱った画像からログイメージを作成して外部装置に転送するイメージログ機能を有する複数の画像処理装置としての複合機２と、各複合機２からネットワーク３を介して転送されたジョブログおよびログイメージを格納するジョブログ管理サーバ４とを備える。ネットワーク３には、１つ、または複数のパーソナルコンピュータ（ＰＣ）等からなるユーザ端末（図示せず）が接続可能である。
【００１４】
この画像処理システムで処理されるイメージログ機能には、複合機において上述したジョブログとログイメージとを生成し、それらをジョブログ管理サーバ４に転送する機能の他に、ログイメージをジョブログに関連付けて複合機２が蓄積する機能、ジョブログおよびログイメージを互いに関連付けてジョブログ管理サーバ４が蓄積する機能を含む。
【００１５】
図２は、本実施形態におる複合機２の構成を示すブロック図である。この複合機２は、ＣＰＵ，ＲＯＭ，ＲＡＭ等を備え、制御部２０、操作表示部２１、画像読取部２２、印刷部２３、記憶装置２４、ジョブ管理部２５、ネットワーク通信部２６、ファクリミリ通信部２７を備えている。制御部２０は、本複合機２の各部を制御する。操作表示部２１は、ディスプレイの表面にタッチパネルを重畳して構成されたタッチパネルディスプレイや、スタートキー等のハードキーを備えている。
【００１６】
画像読取部２２は、原稿から画像を光学的に読み取る。印刷部２３は、電子写真方式等により画像を用紙に印刷する。記憶装置２４は、設定画面、設定情報、画像等の各種の情報を記憶するＨＤＤ等からなる。ジョブ管理部２５は、ジョブを受け付けてジョブＩＤを発行するとともにジョブ実行後にジョブログ等を生成する。
【００１７】
ネットワーク通信部２６は、ネットワーク３に接続され、ネットワーク３上の機器とデータ通信を行う。ファクリミリ通信部２７は、電話回線網等に接続され、他のファクシミリ装置との間でファクシミリを送受信する。バス２８は、上述した各部を互いに接続している。
【００１８】
複合機２は、コピー（複写）、プリント、スキャン、ファックス、電子メール等の複数の機能を有する。ジョブは、これらの複数の機能のうち１つまたは複数の機能を利用して画像を処理する。ジョブは、操作表示部２１で受け付けるが、ネットワーク３に接続されたＰＣ等からなる図示しないユーザ端末から受け付けてもよい。
【００１９】
制御部２０のＲＯＭや記憶装置２４には、ジョブ実行プログラム、後述する図４のフローチャートに示すような画像処理プログラム等の各種のプログラムが記憶されており、制御部２０のＣＰＵは、ＲＯＭや記憶装置２４に記憶されているプログラムに従って複合機２の各部を制御する。
【００２０】
ジョブ管理部２５は、ジョブログ生成・蓄積部２５０と、ログイメージ作成部２５１とを備えている。ジョブログ生成・蓄積部２５０は、ジョブ受付時にジョブログ（開始）を生成するとともに、ジョブ完了後にジョブログ（完了）を生成して蓄積する。また、ログイメージ作成部２５１は、ジョブの出力が準備できるまでの実時間内に、ジョブで扱われた画像から一部のログイメージを作成するとともに、ジョブの出力完了後、ジョブで扱われた画像から残りのログイメージを作成する。ジョブ管理部２５は、制御部２０のＣＰＵの制御の下に動作し、ログイメージ作成部２５１によって作成されたログイメージを複合機ＩＤおよびジョブＩＤとともに記憶装置２４に蓄積する。
【００２１】
ジョブログは、例えば、複合機ＩＤ、ジョブＩＤ、ジョブの種類、ユーザ名、ジョブ受付時刻、ジョブ終了時刻、ジョブの待機中・処理中・中止・完了等のステータス情報等からなる。
【００２２】
ログイメージ作成部２５１は、ジョブで扱われた画像に対して、記憶装置２４に記憶されているログイメージ作成方法に従った処理を施し、ログイメージを作成する。ログイメージ作成方法には、例えば、画像の解像度を低下させる方法や、ログイメージとするページを選択する方法等がある。
【００２３】
記憶装置２４には、上記ログイメージの他に、管理者により設定されたイメージログ機能設定情報、ログイメージ作成方法、ログイメージ転送タイミング情報等も記憶される。
【００２４】
図３は、ジョブログ管理サーバ４の構成を示すブロック図である。このジョブログ管理サーバ４は、ネットワーク３に接続された通信部４０と、ＣＰＵ、ＲＯＭ、ＲＡＭ等を備え、本サーバ４の各部を制御する制御部４１と、ＨＤＤ等からなる記憶装置４２と、キーボード、マウス等を備えた入力部４３と、設定画面等を表示するＬＣＤ等の表示部４４とを有する。
【００２５】
制御部４１のＲＯＭには、各種のプログラムが記憶されており、制御部４１のＣＰＵは、ＲＯＭに記憶されているプログラムに従ってジョブログ管理サーバ４の各部を制御する。記憶装置４２は、各複合機２から転送されたログイメージおよびジョブログ、設定画面等を記憶するものであり、ログイメージはジョブログに関連付けて記憶される。
【００２６】
Ａ−２．第１実施形態の動作
次に、本第１実施形態の動作について説明する。
図４は、本第１実施形態による画像処理装置の動作を説明するためのフローチャートである。画像処理装置は、ジョブを受け付けると、まず、ジョブログ生成・蓄積部２５０によって、ジョブログ（開始）を生成して蓄積するとともに、ネットワーク通信部２６を介して、ジョブログ管理サーバ４に送信する（ステップＳ１０）。ジョブログ（開始）は、例えば、複合機ＩＤ、ジョブＩＤ、ジョブの種類、ユーザ名、ジョブ受付時刻、ファイル名、用紙サイズ等からなる。
【００２７】
次に、ジョブログ管理サーバ４への転送がＯＫであるか否かを判断し（ステップＳ１２）、ネットワークの不具合等により、ジョブログ管理サーバ４への転送がＮＧの場合には、当該処理を終了する。このとき、エラーメッセージ等により利用者に通知するようにしてもよい。
【００２８】
一方、ジョブログ管理サーバ４への転送がＯＫである場合には、ログイメージ作成部２５１により、ジョブで扱われる画像から一部のログイメージを生成し（ステップＳ１４）、該一部のログイメージを、ネットワーク通信部２６を介して、ジョブログ管理サーバ４に送信する（ステップＳ１６）。次に、ジョブログ管理サーバ４への転送がＯＫであるか否かを判断し（ステップＳ１８）、ネットワークの不具合等により、ジョブログ管理サーバ４への転送がＮＧの場合には、当該処理を終了する。このとき、エラーメッセージ等により利用者に通知するようにしてもよい。
【００２９】
一方、ジョブログ管理サーバ４への転送がＯＫである場合には、ジョブの出力準備がＯＫであるか否かを判断し（ステップＳ２０）、ジョブ出力の準備ができていない場合には、ステップＳ１４に戻り、ジョブを出力するまでの実時間内で、一部のログイメージの生成、ジョブログ管理サーバ４への送信を繰り返す。
【００３０】
上記一部のログイメージの生成・送信処理は、ジョブの種類によって異なる。
（１）ジョブがコピー／印刷であれば、１ページ目の印刷までの待ち時間に作成できたログイメージまでを転送する。
（２）スキャンであれば、全てのスキャンを完了するまでに作成できたログイメージを転送する。
（３）ファックスであれば、相手先にダイヤルし、応答が返るまでに作成できたログイメージを転送する。
【００３１】
ジョブログ管理サーバ４では、ジョブログ（開始）、一部のログイメージを関連付けて記憶装置４２に記憶する。
【００３２】
次に、ジョブの出力準備がＯＫになると、ジョブを出力する（ステップＳ２２）。そして、ジョブの出力が完了すると、ジョブログ生成・蓄積部２５０によって、ジョブログ（完了）を生成して蓄積するとともに、ネットワーク通信部２６を介して、ジョブログ管理サーバ４に送信する（ステップＳ２４）。ジョブログ（完了）は、例えば、ジョブ終了時刻、ジョブの待機中・処理中・中止・完了等のステータス情報等からなる。
【００３３】
次に、ログイメージ作成部２５１で、ジョブで扱われる画像から残りのログイメージを生成し、該残りのログイメージを、ネットワーク通信部２６を介して、ジョブログ管理サーバ４に送信する（ステップＳ２６）。その後、当該処理を終了する。
【００３４】
ジョブログ管理サーバ４では、ジョブログ（開始）、ジョブログ（完了）、ログイメージを関連付けて記憶装置４２に記憶する。
【００３５】
上述した第１実施形態によれば、ジョブを受け付けると、まず、ジョブログ（開始）をジョブログ管理サーバ４に送信し、その後、ジョブ出力までの実時間内で、ジョブで扱われる画像から一部のログイメージを生成してジョブログ管理サーバ４に送信し、その後、ジョブを出力するようにしたので、パフォーマンスの低下を抑えることができる。
【００３６】
また、ジョブ出力までに、ジョブログ（開始）およびジョブ出力時までに作成されたログイメージをジョブログ管理サーバ４へ先に送信し、ジョブ出力完了後に、残りのログイメージを生成してジョブログ管理サーバ４に送信するようにしたので、ジョブ出力直後にＨＤＤが盗難されても、ジョブログ管理サーバ４内に、ログイメージや、ジョブログ（開始）が残っているので、最後に使用したユーザの特定や、イメージの一部を確認することができる。
【００３７】
Ｂ．第２実施形態
次に、本発明の第２実施形態について説明する。
本第２実施形態では、各ジョブを出力するまでの時間を予測し、その予測時間に基づいて、ログイメージの生成量を決定する。
【００３８】
Ｂ−１．第２実施形態の構成
ここで、図５は、本第２実施形態に係る画像処理システムの構成を示すブロック図である。なお、図１に対応する部分には同一の符号を付けて説明を省略する。図において、記憶装置２４には、各ジョブを出力開始するまでの時間を予測する際のパラメータが記憶されている。
【００３９】
時間予測する為のパラメータとしては、以下がある。
（Ａ）コピー／印刷時
・フューザの準備時間
・ソータの準備時間
・排出面：おもて、１部毎のソート等の最終ページから出力ジョブは、全ページの処理時間（コピー：スキャン入力、印刷：デコンポーズ）
【００４０】
（Ｂ）スキャン時
・全ページのスキャン時間
【００４１】
（Ｃ）ファクス時
・ダイヤル時間
・リダイヤル時のリダイヤル間隔時間
【００４２】
ジョブ管理部２５に設けられたジョブ開始時間予測部２５２は、ジョブを受け付けると、上記記憶装置２４に記憶されている、各ジョブを出力するまでの時間を予測する際のパラメータに従って、各ジョブを出力開始するまでの時間を予測する。
【００４３】
また、ネットワーク通信部２６１は、ネットワークの転送能力を測定する機能を有する。ネットワークの転送能力は、立ち上げ時のジョブログ管理サーバ４との通信時や、ジョブログ送信時等のジョブログ管理サーバ４からの応答時間で測定する。ネットワークの転送能力、すなわち、ログイメージをジョブログ管理サーバ４に転送するのに要する時間を考慮することで、イメージ生成量の予測の精度を上げることが可能となる。
【００４４】
Ｂ−２．第２実施形態の動作
次に、本第２実施形態の動作について説明する。
図６は、本第２実施形態による画像処理装置の動作を説明するためのフローチャートである。画像処理装置は、ジョブを受け付けると、まず、ジョブログ生成・蓄積部２５０によって、ジョブログ（開始）を生成して蓄積するとともに、ネットワーク通信部２６を介して、ジョブログ管理サーバ４に送信する（ステップＳ４０）。ジョブログ（開始）は、例えば、複合機ＩＤ、ジョブＩＤ、ジョブの種類、ユーザ名、ジョブ受付時刻、ファイル名、用紙サイズ等からなる。
【００４５】
次に、ジョブログ管理サーバ４への転送がＯＫであるか否かを判断し（ステップＳ４２）、ネットワークの不具合等により、ジョブログ管理サーバ４への転送が上手くできない場合には、当該処理を終了する。このとき、エラーメッセージ等により利用者に通知するようにしてもよい。
【００４６】
一方、ジョブログ管理サーバ４への転送がＯＫである場合には、ネットワーク通信部２６１により、ネットワークの転送能力を測定し（ステップＳ４４）、ジョブ開始時間予測部２５２より、受け付けたジョブの種類に応じて、上記記憶装置２４に記憶されているパラメータに従って、各ジョブを出力開始するまでの時間を予測する（ステップＳ４６）。
【００４７】
次に、上記ネットワークの転送能力およびジョブに応じた予測時間内で、ログイメージ作成部２５１により、ジョブで扱われる画像からログイメージを生成し（ステップＳ４８）、該ログイメージを、ネットワーク通信部２６を介して、ジョブログ管理サーバ４に送信する（ステップＳ５０）。
【００４８】
ジョブログ管理サーバ４では、ジョブログ（開始）、一部のログイメージを関連付けて記憶装置４２に記憶する。
【００４９】
次に、ジョブログ管理サーバ４への転送がＯＫであるか否かを判断し（ステップＳ５２）、ネットワークの不具合等により、ジョブログ管理サーバ４への転送が上手くできない場合には、当該処理を終了する。このとき、エラーメッセージ等により利用者に通知するようにしてもよい。
【００５０】
一方、ジョブログ管理サーバ４への転送がＯＫである場合には、ジョブの出力準備がＯＫであるか否かを判断し（ステップＳ５２）、ジョブ出力の準備ができない場合には、当該処理を終了する。このとき、エラーメッセージ等により利用者に通知するようにしてもよい。
【００５１】
次に、ジョブの出力準備がＯＫになると、ジョブを出力する（ステップＳ５４）。そして、ジョブの出力が完了すると、ジョブログ生成・蓄積部２５０によって、ジョブログ（完了）を生成して蓄積するとともに、ネットワーク通信部２６を介して、ジョブログ管理サーバ４に送信する（ステップＳ５６）。ジョブログ（完了）は、例えば、ジョブ終了時刻、ジョブの待機中・処理中・中止・完了等のステータス情報等からなる。
【００５２】
次に、ログイメージ作成部２５１により、ジョブで扱われる画像から残りのログイメージを生成し、該残りのログイメージを、ネットワーク通信部２６を介して、ジョブログ管理サーバ４に送信する（ステップＳ５８）。その後、当該処理を終了する。ジョブログ管理サーバ４では、ジョブログ（開始）、ジョブログ（完了）、ログイメージを関連付けて記憶装置４２に記憶する。
【００５３】
上述した第２実施形態によれば、ジョブを受け付けると、まず、ジョブログ（開始）をジョブログ管理サーバ４に送信し、その後、ジョブ出力までの時間を予測し、該予測した時間内で、ジョブで扱われる画像からログイメージを生成してジョブログ管理サーバ４に送信し、その後、ジョブを出力するようにしたので、パフォーマンスを低下させることなく、ジョブ出力までの時間を有効的に用いてログイメージを生成してジョブログ管理サーバ４に転送することができる。
【００５４】
また、ジョブ出力までに、ジョブログ（開始）およびジョブ出力時までに作成されたログイメージをジョブログ管理サーバ４へ先に送信し、ジョブ出力完了後に、残りのログイメージを生成してジョブログ管理サーバ４に送信するようにしたので、ジョブ出力直後にＨＤＤが盗難されても、ジョブログ管理サーバ４内に、ログイメージや、ジョブログ（開始）が残っているので、最後に使用したユーザの特定や、イメージの一部を確認することができる。
【図面の簡単な説明】
【００５５】
【図１】本発明の第１実施形態に係る画像処理システムの構成を示すブロック図である。
【図２】本実施形態におる複合機２の構成を示すブロック図である。
【図３】ジョブログ管理サーバ４の構成を示すブロック図である。
【図４】本第１実施形態による画像処理装置の動作を説明するためのフローチャートである。
【図５】本第２実施形態に係る画像処理システムの構成を示すブロック図である。
【図６】本第２実施形態による画像処理装置の動作を説明するためのフローチャートである。
【符号の説明】
【００５６】
１  画像処理システム
２  複合機
３  ネットワーク
４  ジョブログ管理サーバ
２０  制御部
２１  操作表示部
２２  画像読取部（実行手段）
２３  印刷部（実行手段）
２４  記憶装置
２５  ジョブ管理部
２６  ネットワーク通信部（転送手段、転送能力計測手段）
２７  ファクリミリ通信部（実行手段）
２８  バス
４０  通信部
４１  制御部
４２  記憶装置
４３  入力部
４４  表示部
２５０  ジョブログ生成・蓄積部（ジョブログ生成手段）
２５１  ログイメージ作成部（ログイメージ生成手段）
２５２  ジョブ開始時間予測部（予測手段）
【図１】
2008118418.tif 000003
【図２】
2008118418.tif 000004
【図３】
2008118418.tif 000005
【図４】
2008118418.tif 000006
【図５】
2008118418.tif 000007
【図６】
2008118418.tif 000008